(57)【要約】【課題】高さ寸法の異なる複数の押釦の保護に活用させることができるエレベータの押釦保護装置の提供。【解決手段】フェースプレート２の穴部２ａに収容された第１押釦１を囲むように設けられ、フェースプレート２に保持される取付部９と、この取付部９に着脱可能に設けられ、高さ寸法が比較的大きい第１押釦１、及び第１押釦１よりも高さ寸法が小さい第２押釦２に当接してこれらの第１押釦１、第２押釦１Ａの脱落を阻止する脱落阻止部６とを備え、この脱落阻止部６は、第１押釦１の背面に当接可能な平面部６Ｅと、この平面部６Ｅに連設され、第２押釦１Ａの背面に当接可能な突起部６Ｂとを有する構成にしてある。取付部９には、第１押釦１、第２押釦１Ａによって、これらの第１押釦１、第２押釦１Ａの長さ方向１１に対して位置決めされる位置固定部５Ａを有している。【選択図】図３
2010222110.tif 000002
【特許請求の範囲】
【請求項１】
エレベータに関連して設置され、フェースプレートに形成された穴部に収容される押釦を衝撃から保護するエレベータの押釦保護装置において、
上記押釦は、高さ寸法が大きい第１押釦と、この第１押釦よりも高さ寸法が小さい第２押釦とを含み、
上記押釦を囲むように設けられ上記フェースプレートに保持される取付部と、この取付部に着脱可能に設けられ押釦の背面に当接してこの押釦の脱落を阻止する脱落阻止部とを備え、
上記脱落阻止部は、上記第１押釦の背面に当接可能な平面部と、この平面部に連設され、上記第２押釦の背面に当接可能な突起部とを有することを特徴とするエレベータの押釦保護装置。
【請求項２】
請求項１に記載のエレベータの押釦保護装置において、
上記取付部は、上記押釦によって上記押釦の長さ方向に対して位置決めされる位置固定部を有することを特徴とするエレベータの押釦保護装置。
【請求項３】
請求項２に記載のエレベータの押釦保護装置において、
上記取付部の上記位置固定部と上記脱落阻止部の上記平面部との間に、上記押釦に接続される配線が挿通可能な空隙部を設け、
上記脱落阻止部の上記突起部の裏面側に、上記押釦に接続される配線が挿通可能な空隙部を設けたことを特徴とするエレベータの押釦保護装置。
【請求項４】
請求項１に記載のエレベータの押釦保護装置において、
上記取付部と上記脱落阻止部とを締結する締結手段を備え、この締結手段は、上記脱落阻止部に形成した貫通穴と、上記取付部に形成され上記貫通穴に適合するねじ孔と、上記貫通穴に挿通され上記ねじ孔に螺合するねじとから成ることを特徴とするエレベータの押釦保護装置。
【請求項５】
請求項１〜４のいずれか１項に記載のエレベータの押釦保護装置において、
上記フエースプレートは裏面側に溝部を有し、上記取付部は上記溝部に係合する係合部を有することを特徴とするエレベータの押釦保護装置。
【発明の詳細な説明】
【技術分野】
【０００１】
本発明は、エレベータのかご操作盤や乗場等に設置され、フェースプレートの穴部に収容される押釦を衝撃から保護するエレベータの押釦保護装置に関する。
【背景技術】
【０００２】
エレベータに関連して設置され、金属製の表板すなわちフェースプレートの穴部に収容される押釦を手や傘などで強打して破損させ、あるいは脱落させる悪戯がなされることがある。このような悪戯による押釦の破損、あるいは脱落を防止するものとして、特許文献１に、ボタン体すなわち押釦の表面側に金属製キャップを設けたり、押釦の裏側に配置された釦取付体に緩衝部材を設け、押釦に故意に加えられた衝撃に対して押釦を保護するエレベータの押釦保護装置が提案されている。
【先行技術文献】
【特許文献】
【０００３】
【特許文献１】特開平０９−０４０３０８号公報
【発明の概要】
【発明が解決しようとする課題】
【０００４】
上述したエレベータに関連して設置される押釦には、高さ寸法の大きい押釦や、高さ寸法の小さい押釦が存在する。したがって上述した特許文献１に示される従来技術にあっては、このような高さ寸法の異なる押釦のそれぞれを衝撃から保護するためには、それぞれの押釦の高さ寸法に応じた形状寸法の異なる複数の押釦保護装置が必要になる。したがって、このような高さ寸法の異なる押釦のそれぞれを含めた押釦保護装置の製造を考慮した場合には、従来技術にあっては製造原価が高くなってしまう懸念がある。
【０００５】
本発明は、上述した従来技術における実状からなされたもので、その目的は、高さ寸法の異なる複数の押釦の保護に活用させることができるエレベータの押釦保護装置を提供することにある。
【課題を解決するための手段】
【０００６】
上記目的を達成するために、本発明に係るエレベータの押釦保護装置は、エレベータに関連して設置され、フェースプレートに形成された穴部に収容される押釦を衝撃から保護するエレベータの押釦保護装置において、上記押釦は、高さ寸法が大きい第１押釦と、この第１押釦よりも高さ寸法が小さい第２押釦とを含み、上記押釦を囲むように設けられ上記フェースプレートに保持される取付部と、この取付部に着脱可能に設けられ押釦の背面に当接してこの押釦の脱落を阻止する脱落阻止部とを備え、上記脱落阻止部は、上記第１押釦の背面に当接可能な平面部と、この平面部に連設され、上記第２押釦の背面に当接可能な突起部とを有することを特徴としている。
【０００７】
このように構成した本発明は、高さ寸法の大きい第１押釦の保護に際しては、脱落阻止部の平面部が第１押釦の背面に当接し、脱落阻止部の突起部が第１押釦の背面から離れるように、フェースプレートに保持された取付部に対して脱落阻止部を配置し、この状態で取付部に脱落阻止部を装着すればよい。これによって、第１押釦に悪戯等による衝撃が与えられ、その衝撃が脱落阻止部の平面部に伝えられた際に、衝撃を取付部と脱落保持部とを含めた強度部材の全体で受けることができ、第１押釦の脱落、及び破損を防ぐことができる。
【０００８】
また、第１押釦よりも高さ寸法の小さい第２押釦の保護に際しては、脱落阻止部の突起部が第２押釦の背面に当接し、脱落阻止部の平面部が第２押釦の背面から離れるように、フェースプレートに保持された取付部に対して脱落阻止部を配置し、この状態で取付部に脱落阻止部を装着すればよい。これによって、第２押釦に悪戯等による衝撃が与えられ、その衝撃が脱落阻止部の突起部に伝えられた際に、衝撃を取付部と脱落保持部とを含めた強度部材の全体で受けることができ、第２押釦の脱落、及び破損を防ぐことができる。このように本発明は、高さ寸法の異なる複数の押釦の保護に活用させることができる。
【０００９】
また、本発明に係るエレベータの押釦保護装置は、上記発明において、上記取付部は、上記押釦によって上記押釦の長さ方向に対して位置決めされる位置固定部を有することを特徴としている。このように構成した本発明は、取付部の位置固定部が押釦の長さ方向に対して位置決めされるので、取付部をフェースプレートに安定して保持させることができる。
【００１０】
また、本発明に係るエレベータの押釦保護装置は、上記発明において、上記取付部の上記位置固定部と上記脱落阻止部の上記平面部との間に、上記押釦に接続される配線が挿通可能な空隙部を設け、上記脱落阻止部の上記突起部の裏面側に、上記押釦に接続される配線が挿通可能な空隙部を設けたことを特徴としている。このように構成した本発明は、押釦に対する配線を容易に行なうことができる。
【００１１】
また、本発明に係るエレベータの押釦保護装置は、上記発明において、上記取付部と上記脱落阻止部とを締結する締結手段を備え、この締結手段は、上記脱落阻止部に形成した貫通穴と、上記取付部に形成され上記貫通穴に適合するねじ孔と、上記貫通穴に挿通され上記ねじ孔に螺合するねじとから成ることを特徴としている。このように構成した本発明は、取付部に脱落阻止部を接合させた状態で、ねじを脱落阻止部の貫通穴に挿通し、さらに取り付け部のねじ孔に螺合させることにより、取付部と脱落阻止部とを堅固に固定することができる。
【００１２】
また、本発明に係るエレベータの押釦保護装置は、上記発明において、上記フェースプレートは裏面側に溝部を有し、上記取付部は上記溝部に係合する係合部を有することを特徴としている。このように構成した本発明は、フェースプレートに形成されている既設の溝部を、フェースプレートに対する取付部の固定に活用させることができ、取付部をフェースプレートへ固定する手段を簡単な構成とすることができる。
【発明の効果】
【００１３】
本発明は、エレベータに関連して設けられる押釦が、高さ寸法が大きい第１押釦と、この第１押釦よりも高さ寸法が小さい第２押釦とを含み、押釦を囲むように設けられフェースプレートに保持される取付部と、この取付部に着脱可能に設けられ押釦に当接してこの押釦の脱落を阻止する脱落阻止部とを備え、脱落阻止部は、第１押釦の背面に当接可能な平面部と、この平面部に連設され、第２押釦の背面に当接可能な突起部とを有することから、高さ寸法の異なる複数の押釦の保護に活用させることができ、高さ寸法の異なる複数の押釦それぞれの保護を考慮した場合、従来に比べて製造が容易になり、これに伴って製造原価の低減を実現させることができる。
【図面の簡単な説明】
【００１４】
【図１】本発明に係る押釦保護装置が取り付けられるエレベータの押釦部分を示す斜視図である。
【図２】図１のＡ−Ａ断面を１８０°回転させて示した断面図である。
【図３】本発明に係るエレベータの押釦保護装置の一実施形態を示す断面図である。
【図４】図３に示す本実施形態に係る押釦保護装置の斜視図である。
【図５】図４の分解斜視図である。
【図６】本実施形態に係る押釦保護装置の取り付け時の状態を示す断面図である。
【図７】本実施形態に係る押釦保護装置の取り付け時の状態を示す断面図である。
【図８】本実施形態に係る押釦保護装置の別の形態を示す断面図である。
【図９】図８に示す形態に係る押釦保護装置の斜視図である。
【発明を実施するための最良の形態】
【００１５】
以下、本発明に係るエレベータの押釦保護装置の実施の形態を図に基づいて説明する。
【００１６】
図１は本発明に係る押釦保護装置が取り付けられるエレベータの押釦部分を示す斜視図、図２は図１のＡ−Ａ断面を１８０°回転させて示した断面図である。
【００１７】
これらの図１，２に示す押釦部分は、例えばエレベータの乗場に備えられるものであり、押釦はフェースプレート２に形成した穴部２ａに収容され、その表面がフェースプレート２の表面と略一致するように配置されている。押釦は、例えば図２の高さ方向１０で示すように、高さ寸法が比較的大きい第１押釦１から成っている。フェースプレート２の裏面側には、図１に示す第１押釦１の長さ方向１１に沿うように延設され、溝部３を有する補強レール４が一体に装着されている。
【００１８】
図３は本発明に係るエレベータの押釦保護装置の一実施形態を示す断面図、図４は図３に示す本実施形態に係る押釦保護装置の斜視図、図５は図４の分解斜視図である。
【００１９】
これらの図３〜５に示すように、本実施形態に係る押釦保護装置は、第１押釦１を囲むように設けられ、フェースプレート２に保持され、剛性を有する強度部材から成る取付部９と、この取付部９に着脱可能に設けられ、第１押釦１の背面に当接してこの第１押釦１の脱落を阻止し、剛性を有する強度部材から成る脱落阻止部６とを備えている。脱落阻止部６は、例えば一枚の金属板から成っており、第１押釦１の背面に当接可能な平面部６Ｅと、この平面部６Ｅの中央位置に配置されてこの平面部６Ｅに連設される三角形状の突起部６Ｂとから成っている。後述するが、突起部６Ｂは、第１押釦１よりも高さ寸法の小さい第２押釦１Ａの背面に当接可能な高さ寸法に設定されている。
【００２０】
脱落阻止部６の突起部６Ｂの裏面側を形成する凹部６Ａには、第１押釦１に接続される図示しない配線が挿通可能な空隙部６Ｃが形成されている。脱落阻止部６の平面部６Ｅには、突起部６Ｂを挟むようにそれぞれ２つ、計４つの貫通穴６Ｄを形成してある。
【００２１】
上述した取付部９は、例えばそれぞれ一枚の金属板から成るものを一対設けてあり、それぞれの取付部９は、第１押釦１の側面５に対向し、第１押釦１によって長さ方向１１に対して位置決めされる一対の位置固定部５Ａと、脱落阻止部６の平面部６Ｅが装着、例えば締結される締結部８ａと、上述したフェースプレート２の溝部３に係合される係合部３Ａとを備えている。それぞれの取付部９の締結部８ａには、脱落阻止部６に形成した貫通穴６Ｄに適合する一対のねじ孔８を形成してある。
【００２２】
図３に示すように、脱落阻止部６の平面部６Ｅの貫通穴６Ｄに挿通され、取付部９の締結部８ａのねじ孔８に螺合する４本のねじ７を備えており、これらのねじ７によって脱落阻止部６と取り付け部９とは一体に固定されている。すなわち、脱落阻止部６に形成した貫通穴６Ｄと、取付部９に形成され、貫通穴６Ｄに適合するねじ孔８と、ねじ７とによって、一対の取付部９と脱落阻止部６とを締結する締結手段が構成されている。取付部９の位置固定部５Ａと脱落阻止部６の平面部６Ｅとの間にも、第１押釦１に接続される図示しない配線が挿通可能な空隙部５Ｂが形成されている。
【００２３】
図６，７は本実施形態に係る押釦保護装置の取り付け時の状態を示す断面図である。
【００２４】
フェースプレート２の穴部２ａに第１押釦１が収容された状態において、本実施形態に係る押釦保護装置を取り付けるに際しては、図６に示すように、一対の取付部９のうちの一方の取付部９の係合部３Ａをフェースプレート２の裏側の対応する溝部３に係合させる。同様に、一対の取付部９のうちの他方の取付部９の係合部３Ａをフェースプレート２の裏側の対応する溝部３に係合させる。このようにして、一対の取付部９のそれぞれがフェースプレート２に保持される。
【００２５】
次に図７に示すように、例えば一対の取付部９のうちの他方の取付部９にねじ７を介して脱落阻止部６の平面部６Ｅを固定する。最後に、一対の取付部９のうちの一方の取付部９に、ねじ７によって脱落阻止部６の平面部６Ｅを固定する。これによって図３に示すように、フェースプレート２に保持された取付部９と脱落阻止部６とを一体に固定することができる。この状態にあっては、図３に示すように、取付部９の位置固定部５Ａのそれぞれが第１押釦１の側面５に対向して第１押釦１の長さ方向１１に対して位置決めされる。また、脱落阻止部６の平面部６Ｅが、第１押釦１の背面に当接した状態となる。
【００２６】
このように構成した本実施形態にあっては、第１押釦１に悪戯等による衝撃が与えられ、その衝撃が脱落阻止部６の平面部６Ｅに伝えられた際に、取付部９と脱落阻止部６とを含めた強度部材の全体で衝撃を受けることができ、第１押釦１の脱落、及び破損を防ぐことができる。
【００２７】
図８は本実施形態に係る押釦保護装置の別の形態を示す断面図、図９は図８に示す形態に係る押釦保護装置の斜視図である。
【００２８】
これらの図８，９に示す本実施形態は、上述した第１実施形態１よりも高さ寸法の小さい第２押釦１Ａに適用させたもので、脱落阻止部６を上述の場合とは上下を代えて配置してある。すなわち図８に示すように、脱落阻止部６の突起部６Ｂが第２押釦１Ａの背面に当接するように、脱落阻止部６を取り付け部９にねじ７によって固定してある。
【００２９】
このように脱落阻止部６の配置形態を変えた本実施形態では、第２押釦１Ａに悪戯等による衝撃が与えられ、その衝撃が脱落阻止部６の突起部６Ｂに伝えられた際に、取付部９と脱落阻止部６とを含めた強度部材の全体で衝撃を受けることができ、第２押釦１Ａの脱落、及び破損を防ぐことができる。
【００３０】
上述したように、本実施形態は、高さ寸法の異なる第１押釦１と第２押釦１Ａの保護に活用させることができる。これにより、第１押釦１、第２押釦１Ａのそれぞれの保護を考慮した場合に、製造が容易になり、これによって製造原価の低減を実現させることができる。
【００３１】
また、取付部９の位置固定部５Ａが第１押釦１、第２押釦１Ａの長さ方向１１に対して位置決めされるので、取付部９をフェースプレート２に簡単に取り付けることができるとともに、取付部９をフェースプレート２に安定して保持させることができる。
【００３２】
また、取付部９をフェースプレート２に取り付けるに際し、フェースプレート２に設けられている溝部３を活用させるようにしたことから、取付部９のフェースプレート２への固定手段を簡単な構成とすることができる。これによっても製造原価を低減させることができる。
【００３３】
また、取付部９の位置固定部５Ａと、脱落阻止部６の平面部６Ｅとの間に形成される空隙部５Ｂ、及び脱落阻止部６の突起部６Ｂの裏側に形成される空隙部６Ｃのそれぞれを、第１押釦１、第２押釦１Ａに接続される配線を挿通させる空隙部としてあることから、フェースプレート２の補強レール４等に配線用の溝等を加工する必要がなく、第１押釦１、第２押釦１Ａに対する配線を容易に行なうことができる。これによっても製造原価を低減させることができる。
【００３４】
また、取付部９に脱落阻止部６を接合させた状態で、ねじ７を脱落阻止部６の貫通穴６Ｄに挿入し、さらに取り付け部９のねじ孔８に螺合させることにより、取付部９と脱落阻止部６とを堅固に固定することができ、安定した押釦保護装置を実現させることができる。
【符号の説明】
【００３５】
１    第１押釦
１Ａ  第２押釦
２    フェースプレート
２ａ  穴部
３    溝部
３Ａ  係合部
４    補強レール
５    側面
５Ａ  位置固定部
５Ｂ  空隙部
６    脱落阻止部
６Ａ  凹部
６Ｂ  突起部
６Ｃ  空隙部
６Ｄ  貫通穴（締結手段）
６Ｅ  平面部
７    ねじ（締結手段）
８    ねじ孔（締結手段）
８ａ  締結部
９    取付部
１０  高さ方向
１１  長さ方向
【図１】
2010222110.tif 000003
【図２】
2010222110.tif 000004
【図３】
2010222110.tif 000005
【図４】
2010222110.tif 000006
【図５】
2010222110.tif 000007
【図６】
2010222110.tif 000008
【図７】
2010222110.tif 000009
【図８】
2010222110.tif 000010
【図９】
2010222110.tif 000011